(57)【要約】【課題】  支保工を使用せずにスラブの構築ができるプレキャストコンクリート板およびスラブを提供することである。【解決手段】  プレキャストコンクリート板１は、コンクリート板２が長さ方向に沿って上側に湾曲形成され、このコンクリート板２の湾曲形状を保持する緊張バー３が下面両端部間に架設されたものである。【選択図】図１
2006029000.tif 000002
【特許請求の範囲】
【請求項１】
コンクリート板が長さ方向に沿って上側に湾曲形成され、この湾曲形状を保持する緊張バーがコンクリート板の下面両端部間に架設されたことを特徴とするプレキャストコンクリート板。
【請求項２】
コンクリート板の両端部には支持部材への載置部が形成され、該載置部は下面が水平でかつ粗面状であることを特徴とする請求項１に記載のプレキャストコンクリート板。
【請求項３】
コンクリート板の上面にはトラス筋が配筋されたことを特徴とする請求項１または２に記載のプレキャストコンクリート板。
【請求項４】
コンクリート板の上面には軽量埋込材が配設されたことを特徴とする請求項１〜３のいずれかに記載のプレキャストコンクリート板。
【請求項５】
コンクリート板の上面には凹凸部が形成されたことを特徴とする請求項１〜４のいずれかに記載のプレキャストコンクリート板。
【請求項６】
緊張バーは複数の短尺物をジョイント金物で接続してなることを特徴とする請求項１〜５のいずれかに記載のプレキャストコンクリート板。
【請求項７】
コンクリート板が長さ方向に沿って上側に湾曲形成され、この湾曲形状を保持する緊張バーがコンクリート板の下面両端部間に架設されてなるプレキャストコンクリート板が梁間に設置され、該プレキャストコンクリート板上にコンクリートが打設されてなることを特徴とするスラブ。
【請求項８】
緊張バーの下側には二重天井の天井板が張られ、該二重天井の下地材として緊張バーが利用されたことを特徴とする請求項７に記載のスラブ。
【請求項９】
コンクリート板が長さ方向に沿って上側に湾曲形成され、この湾曲形状を保持する緊張バーがコンクリート板の下面両端部間に架設されてなるプレキャストコンクリート板を梁型枠の底板間に設置した後、該梁型枠およびプレキャストコンクリート板上にコンクリートを打設することを特徴とするスラブの構築方法。
【発明の詳細な説明】
【技術分野】
【０００１】
本発明はプレキャストコンクリート板およびスラブならびにスラブの構築方法に関するものである。
【背景技術】
【０００２】
スラブは在来工法による現場打ちコンクリートまたは、図１２に示すような、コンクリート板２９の上面にトラス筋３０が配筋されたプレキャストコンクリート板３１を用いて構築されている。この在来工法およびプレキャストコンクリート板２９による構築においては、いずれも型枠およびプレキャストコンクリート板が支保工で支持されていた。またその他のプレキャストコンクリート板としては、例えば特開２００３−２６２００４号公報の発明がある。
【特許文献１】特開２００３−２６２００４号公報
【発明の開示】
【発明が解決しようとする課題】
【０００３】
しかし、上記の工法においては型枠およびプレキャストコンクリート板を支保工で支持していたため、作業性が悪いという問題があった。また支保工を設置することで、スラブに上階の荷重（施工時荷重）が作用して、スラブに損傷を与える問題があった。また支保工を撤去した時点で、自重によりスラブがたわんで固定端部へ大きな曲げモーメントが作用して損傷するおそれがあった。また上記の理由で損傷を受けたスラブは、長期的に損傷の影響（損傷度の悪化）が続き、設計段階で想定したスラブの性能を満足できないおそれがあった。
【０００４】
本発明は上記のような問題に鑑みてなされたものであり、その目的は、支保工を使用せずにスラブの構築ができるプレキャストコンクリート板およびスラブならびにスラブの構築方法を提供することである。
【課題を解決するための手段】
【０００５】
課題を解決するための手段であるプレキャストコンクリート板は、コンクリート板が長さ方向に沿って上側に湾曲形成され、この湾曲形状を保持する緊張バーがコンクリート板の下面両端部間に架設されたことを特徴とする。またコンクリート板の両端部には支持部材への載置部が形成され、該載置部は下面が水平でかつ粗面状であることを含む。またコンクリート板の上面にはトラス筋が配筋されたことを含む。またコンクリート板の上面には軽量埋込材が配設されたことを含む。またコンクリート板の上面には凹凸部が形成されたことを含む。また緊張バーは複数の短尺物をジョイント金物で接続してなることを含むものである。
【０００６】
またスラブは、コンクリート板が長さ方向に沿って上側に湾曲形成され、この湾曲形状を保持する緊張バーがコンクリート板の下面両端部間に架設されてなるプレキャストコンクリート板が梁間に設置され、該プレキャストコンクリート板上にコンクリートが打設されてなることを特徴とする。また緊張バーの下側には二重天井の天井板が張られ、該二重天井の下地材として緊張バーが利用されたことを含むものである。
【０００７】
スラブの構築方法は、コンクリート板が長さ方向に沿って上側に湾曲形成され、この湾曲形状を保持する緊張バーがコンクリート板の下面両端部間に架設されてなるプレキャストコンクリート板を梁型枠の底板間に設置した後、該梁型枠およびプレキャストコンクリート板上にコンクリートを打設することを特徴とする。
【発明の効果】
【０００８】
支保工を使用せずにスラブを構築することができる。また、スラブの固定端部への曲げモーメントは、積載荷重と仕上荷重とにより発生するため、固定端部への曲げによるひび割れを防ぐことができる。また長期たわみ増大率を大幅に低減することができる。また断面寸法が均一でないため、遮音性能が向上する。また初期のスラブ性能である耐久性能、振動性能および遮音性能が長年にわたって維持可能になる。
【発明を実施するための最良の形態】
【０００９】
以下、本発明のプレキャストコンクリート板（以下、ＰＣ板という）およびスラブの実施の形態ならびにスラブの構築方法について説明する。はじめにＰＣ板について説明し、その後にスラブおよびその構築方法について説明する。なお、各実施の形態において同じ構成は同じ符号を付して説明し、異なった構成は異なった符号を付して説明する。
【００１０】
図１および図２は、第１の実施の形態のＰＣ板１である。このＰＣ板１は、大スパンの梁間に設置される長尺状のコンクリート板２が長さ方向に沿って上側に湾曲形成され、この湾曲形状を保持する複数（３本）の緊張バー３がコンクリート板２の下面両端部間に架設されて構成されている。この緊張バー３はＰＣ鋼棒またはＰＣ鋼線などであり、その両端部がコンクリート板２の両端部における挿入孔４から定着凹部５に挿入されて、耐圧板６とアンカーヘッド７とで定着されている。この緊張バー３は所定の力、すなわちコンクリート板２の湾曲形状が保持できる力で緊張されている。
【００１１】
また、定着凹部５が形成されたコンクリート板２の両端部には梁上面（またはその他の支持部材）に載置するための載置部８が形成され、この載置部８の下面９が水平かつ粗面になっている。これは梁上面への載置を精度良く行うとともに、梁上面との摩擦を増大させて滑りを防ぐためである。また図３は幅狭なＰＣ板１０であり、この場合は２本の緊張バー３が両端部間に架設されている。このように幅は使用用途により、任意に設定することができる。
【００１２】
またコンクリート板２の上面も、打設されるコンクリートとの接着強度を大きくするために載置部８の下面９と同じように粗面に形成する。
【００１３】
また図４は、第２の実施の形態のＰＣ板１１である。このＰＣ板１１は、コンクリート板２の上面に長辺方向に沿って４本のトラス筋１２が配筋されたものであり、これ以外は第１の実施の形態のＰＣ板１と同じ構成である。このトラス筋１２の配筋は、ＰＣ板１１の上に打設されるコンクリートの付着を強固にする。また図５に示すように、トラス筋１２は短辺方向に沿って配筋することもできる。
【００１４】
このトラス筋１２は、一本の上端筋１３と、二本の下端筋（図示せず）とが波形のラチス筋１４で接合された三角トラスである。また、この三角トラスに限らず、上端筋１３と下端筋とがそれぞれ１本ずつである、いわゆるシングルトラスであっても良い。
【００１５】
また図６及び図７は、第３の実施の形態のＰＣ板１５である。このＰＣ板１５は、第１および第２の実施の形態のＰＣ板１、１１の上面に軽量埋込材１６を適宜間隔ごとに設置したものであり、これ以外は第１および第２の実施の形態のＰＣ板１、１１と同じ構成である。このＰＣ板１５を使用してボイドスラブを構築することができる。
【００１６】
また図８は、第１の実施の形態のＰＣ板１を使用したスラブ１７である。このスラブ１７はＰＣ板１を梁１８間に密接状に連続して設置し、その上に現場打ちコンクリート１９を打設して形成したものであり、断面寸法がスラブの中央部で薄く、両端部で厚くなっている。またスラブ１７の下面はアーチ状に形成され、そのアーチの両端部を緊張バー３で結んでいる。このように断面寸法が均一でないアーチ形状のスラブ１７は、圧縮力のみが作用する箇所のひび割れや欠け落ちを防ぐことができるとともに、遮音性能にも優れる。
【００１７】
また図９は緊張バー３の下側に天井板２０を張った二重天井のスラブ２１であり、二重天井の下地材として緊張バー３を利用することができる。
【００１８】
また図１０は、第２の実施の形態のスラブ２２である。このスラブ２２は緊張バー３を取り外したものであり、これ以外は上記のスラブ１７と同じ構成である。この緊張バー３は現場打ちコンクリート１９が所定の強度を発現した後に取り外すものである。この緊張バー３を取り外すことで生じる反力が梁や壁に外力として生じるため、この外力対策を施すことにより取り外すことができる。
【００１９】
また図１１はスラブの構築方法を示したものである。この構築方法は、はじめに上記の第１の実施の形態のＰＣ板１、すなわち大スパンの梁間に設置される長尺状のコンクリート板２が長さ方向に沿って上側に湾曲形成され、この湾曲形状を保持する複数（３本）の緊張バー３がコンクリート板２の下面両端部間に架設されてなるＰＣ板１を製造する。次に、このＰＣ板１を梁型枠２３の底板２４間に設置するとともに、この底板２４に梁鉄筋２５を配筋する。次に、この梁型枠の底板２４およびＰＣ板１上に現場打ちコンクリート２６をすると、梁型枠２３の側板を必要とせずに梁２７およびスラブ２８、すなわちスラブ２８と一体になった梁２７を構築することができる。
【図面の簡単な説明】
【００２０】
【図１】第１の実施の形態のＰＣ板であり、（１）は正面図、（２）は端部の一部省略断面図である。
【図２】第１の実施の形態のＰＣ板の平面図である。
【図３】幅狭なＰＣ板の平面図である。
【図４】第２の実施の形態のＰＣ板であり、（１）は正面図、（２）は平面図である。
【図５】短辺方向にトラス筋を配筋したＰＣ板であり、（１）は正面図、（２）は平面図である。
【図６】上面に軽量埋込材を設置したＰＣ板の平面図である。
【図７】トラス筋の間に軽量埋込材を設置したＰＣ板の平面図である。
【図８】第１の実施の形態のスラブの断面図である。
【図９】二重天井のスラブの断面図である。
【図１０】第２の実施の形態のスラブの断面図である。
【図１１】（１）および（２）はスラブの構築方法を示す断面図である。
【図１２】従来のＰＣ板の断面図である。
【符号の説明】
【００２１】
１、１０、１１、１５、２２、３１  ＰＣ板
２、２０、２９  コンクリート板
３  緊張バー
４  挿入孔
５  定着凹部
６  耐圧板
７  アンカーヘッド
８  載置部
９  載置部の下面
１２、２１、３０  トラス筋
１３  上端筋
１４  ラチス筋
１５、１７、２１、２２、２８  スラブ
１６  軽量埋込材
１８、２７  梁
１９  現場打ちコンクリート
２０  天井板
２３  梁型枠
２４  底板
２５  梁鉄筋
２６  現場打ちコンクリート
【図１】
2006029000.tif 000003
【図２】
2006029000.tif 000004
【図３】
2006029000.tif 000005
【図４】
2006029000.tif 000006
【図５】
2006029000.tif 000007
【図６】
2006029000.tif 000008
【図７】
2006029000.tif 000009
【図８】
2006029000.tif 000010
【図９】
2006029000.tif 000011
【図１０】
2006029000.tif 000012
【図１１】
2006029000.tif 000013
【図１２】
2006029000.tif 000014